(57)【特許請求の範囲】
【請求項１】
水中集魚灯における光源装置の光照射方向に取り付けられる光散乱装置であって、
上端及び下端に水流を導入又は導出するための開口部が形成された筒型又は箱型の透明容器と、
前記開口部よりも大きいサイズに形成されると共に前記透明容器の内部に収容される反射部材と、
を備え、
前記反射部材は、前記開口部から前記透明容器の内部に流入する水流によって前記透明容器内で位置又は姿勢を変化させることにより、前記光源装置から照射される光を周囲へ散乱させることを特徴とする光散乱装置。
【請求項２】
前記開口部は網目によって形成されることを特徴とする請求項１に記載の光散乱装置。
【請求項３】
前記反射部材はプレート状に形成されることを特徴とする請求項1又は２に記載の光散乱装置。
【請求項４】
水中に投入して使用される水中集魚灯であって、
複数の光源装置と、
前記複数の光源装置を周方向に配置して保持する光源保持部材と、
前記光源保持部材によって保持される前記複数の光源のそれぞれの外側の位置に取り付けられ、前記光源装置から照射される光を周囲へ散乱させる光散乱装置と、
を有し、
前記光散乱装置は、
上端及び下端に水流を導入又は導出するための開口部が形成された筒型又は箱型の透明容器と、
前記開口部よりも大きいサイズに形成されると共に前記透明容器の内部に収容される反射部材と、
を備え、
前記反射部材は、前記開口部から前記透明容器の内部に流入する水流によって前記透明容器内で位置又は姿勢を変化させることにより、前記光源装置から照射される光を周囲へ散乱させることを特徴とする水中集魚灯。
【請求項５】
前記光散乱装置は、前記光源保持部材に対して着脱自在であることを特徴とする請求項４に記載の水中集魚灯。
【発明の詳細な説明】
【技術分野】
【０００１】
本発明は、水中に投入して使用する光散乱装置及びそれを備えた水中集魚灯に関する。
【背景技術】
【０００２】
従来、魚を集めるために水中に投入して使用する水中集魚灯において、照明光源にＬＥＤ（Light Emitting Diode）を利用したものが知られている（例えば特許文献１）。ＬＥＤは低消費電力であるため、これを照明光源に採用すれば、長時間に亘って低コストで水中集魚灯を使用することができる。
【先行技術文献】
【特許文献】
【０００３】
【特許文献１】特開２０１４−１８１５７号公報
【発明の概要】
【発明が解決しようとする課題】
【０００４】
しかしながら、従来の水中集魚灯は、照明光源から単に光を周囲に照射するだけであるため、一定の集魚効果は期待できるものの、小魚などを狙う比較的大きな魚や烏賊などを効果的に集めることは困難であった。
【０００５】
本発明は、上記課題を解決するためになされたものであり、水中集魚灯の集魚効果を従来よりも飛躍的に改善させる光散乱装置及びそれを備えた水中集魚灯を提供することをその目的とする。
【課題を解決するための手段】
【０００６】
上記目的を達成するため、上記目的を達成するため、本発明は、第１に、水中集魚灯における光源装置の光照射方向に取り付けられる光散乱装置をその対象としている。この第１の発明が解決手段として採用したところは、水中集魚灯における光源装置の光照射方向に取り付けられる光散乱装置であって、上端及び下端に水流を導入又は導出するための開口部が形成された筒型又は箱型の透明容器と、開口部よりも大きいサイズに形成されると共に透明容器の内部に収容される反射部材と、を備え、反射部材が、開口部から透明容器の内部に流入する水流によって透明容器内で位置又は姿勢を変化させることにより、光源装置から照射される光を周囲へ散乱させる構成にある。
【０００７】
かかる構成によれば、光源装置の周囲に小魚が集まっているかのような態様で光を周囲に散乱させることができる。小魚などを狙う比較的大きな魚や烏賊などを従来よりも効果的に集めることができるようになる。
【０００８】
また上記構成を有する光散乱装置において、開口部は網目によって形成されることが好ましい。開口部を網目で形成すれば、透明容器の周囲にある水流をそのまま自然な水流として透明容器の内部に取り入れることができるため、反射部材の位置又は姿勢を自然な態様で変化させることができる。
【０００９】
また上記構成を有する光散乱装置において、反射部材はプレート状に形成されることが好ましい。
【００１０】
また本発明は、第２に、水中に投入して使用される水中集魚灯をその対象としている。この水中集魚灯は、上記構成を有する光散乱装置を備えるものである。すなわち、この第２の発明が解決手段として採用したところは、水中に投入して使用される水中集魚灯であって、複数の光源装置と、複数の光源装置を周方向に配置して保持する光源保持部材と、光源保持部材によって保持される複数の光源のそれぞれの外側の位置に取り付けられ、光源装置から照射される光を周囲へ散乱させる光散乱装置と、を有し、光散乱装置は、上端及び下端に水流を導入又は導出するための開口部が形成された筒型又は箱型の透明容器と、開口部よりも大きいサイズに形成されると共に透明容器の内部に収容される反射部材と、を備え、反射部材が、開口部から透明容器の内部に流入する水流によって透明容器内で位置又は姿勢を変化させることにより、光源装置から照射される光を周囲へ散乱させる構成である。
【００１１】
また上記構成を有する水中集魚灯において、光散乱装置は、光源保持部材に対して着脱自在であることが好ましい。
【発明の効果】
【００１２】
本発明によれば、透明容器の内部に収容された反射部材が開口部から流入する水流によって位置又は姿勢を変化させることにより、光源装置から照射される光を周囲へ散乱させるため、小魚などを狙う比較的大きな魚や烏賊などを効果的に集めることが可能であり、従来よりも集魚効果が飛躍的に向上する。
【図面の簡単な説明】
【００１３】
【図１】水中集魚灯の外観構成を示す斜視図である。
【図２】水中集魚灯の使用状態の一例を示す図である。
【図３】水中集魚灯を上から見た平面図である。
【図４】水中集魚灯の側面図である。
【図５】図４とは異なる形状の垂直ラダーを備えた水中集魚灯の側面図である。
【図６】垂直ラダーによる水中集魚灯の姿勢安定作用を示す図である。
【図７】側面ラダーを取り付け可能な水中集魚灯の一例を示す図である。
【図８】側面ラダーの作用効果を説明する図である。
【図９】光源装置の一構成例を示す図である。
【図１０】光源装置の断面構造を示す図である。
【図１１】基板収容器の内部における電源ケーブルの配線パターン例を示す図である。
【図１２】光散乱装置を拡大して示す図である。
【発明を実施するための形態】
【００１４】
以下、本発明に関する好ましい実施形態について図面を参照しつつ詳細に説明する。尚、以下に説明する実施形態において互いに共通する部材には同一符号を付しており、それらについての重複する説明は省略する。
【００１５】
図１は、本発明の一実施形態である水中集魚灯１を示す斜視図である。また図２は、水中集魚灯１の使用状態の一例を示す図であり、図３は、水中集魚灯１を上から見た平面図である。水中集魚灯１は、図２に示すように例えば船１００の上から水中に投入されて使用される集魚灯であり、水中において周囲に光を照射して魚を集める装置である。この水中集魚灯１は、船１００に設けられる水上電源１１０と電源ケーブル４を介して接続され、船上からの電力供給によって発光する。また水中集魚灯１は、船１００から延びるチェーン１２０によって所定の水深で保持される。ただし、水中集魚灯１は、チェーン１２０に限らず、ワイヤーやロープによって水中に吊り下げられた状態に保持されるものであっても構わない。
【００１６】
この水中集魚灯１は、図１に示すように複数の光源装置２を周方向に配置して保持する光源保持部材３を備えている。光源保持部材３は、例えば金属製のプレートやＬ型アングルなどを概略筒状の立体形状に組み付けたフレーム構造を有し、その側面の複数箇所に光源装置２を取り付けたものである。本実施形態では、例えば図３に示すように光源保持部材３が平面視で概略四角形となるように形成され、４つの側面のそれぞれに光源装置２が取り付けられる。光源保持部材３は、その上端部にフック状の係合部１１を備えている。水中集魚灯１は、その係合部１１にチェーンやワイヤー、ロープなどを係合させることにより水中に吊り下げた状態で支持される。
【００１７】
光源装置２は、例えばＬＥＤ（Light Emitting Diode）などの発光素子３０を光源として用いている。ＬＥＤを光源として用いることにより、消費電力を抑えることができる。光源装置２には、複数の発光素子３０が設けられる。具体的に説明すると、光源装置２は、複数の発光素子３０を基板上の２次元配列した薄板状の発光プレートとして構成される。光源保持部材３に取り付けられる複数の光源装置２のそれぞれは、水上電源１１０に繋がる電源ケーブル４が接続され、水上からの電力供給によって発光し、発光プレートの表面から光を照射する。ここで各光源装置２は複数の発光素子３０が実装されている表面側を外側に向けた状態で光源保持部材３の各側面に取り付けられるため、水中集魚灯１は、光源保持部材３の４つの側面のそれぞれから外側に向けて光を照射する。
【００１８】
また各光源装置２は、光源保持部材３に対して着脱可能に取り付けられる。例えば図示を省略するビスを用いて光源装置２を光源保持部材３に取り付けることにより、そのビスを外せば、光源装置２を光源保持部材３から簡単に取り外すことができる。このように光源装置２は、光源保持部材３に対して着脱可能に取り付けられることにより、光源装置２を光源保持部材３から取り外してメンテナンス作業を行ったり、交換したりすることができるようになる。尚、光源装置２の詳細については、後述する。
【００１９】
また水中集魚灯１は、光源保持部材３の下端部から下方に突出する垂直ラダー５を備えている。図４は、水中集魚灯１の側面図である。光源保持部材３の下端部には下面の対角線に沿ってフランジ部７が設けられている。垂直ラダー５は、そのフランジ部７にビス８で固定され、光源保持部材３の下面から垂直に突出した状態に取り付けられる。垂直ラダー５は、アルミやステンレスなどによって構成される金属製プレートであり、例えば図４に示すように矩形状のプレートとして構成される。この垂直ラダー５は、その一端が光源保持部材３の略中央位置に設けられ、他端が光源保持部材３の外側の所定位置まで延設された状態となっている。そして水中集魚灯１は、図３に示すように平面視において垂直ラダー５が突出している部分が後方側となり、その反対側の部分が前方側となる。
【００２０】
ここで垂直ラダー５は必ずしも矩形であるものに限られない。図５は、図４とは異なる形状の垂直ラダー５の一例を示す図である。図５に示す垂直ラダー５は、前方側（図５に示すＢ側）が三角形状に形成され、後方側（図５に示すＡ側）が矩形状に形成された形態を有しており、前方側の端部が光源保持部材３の中央位置よりも前方側に固定され、後方側の端部が図４と同様に光源保持部材３の外側の所定位置まで延設された状態となっている。すなわち、光源保持部材３に取り付けられる垂直ラダー５は、光源保持部材３の重心位置（中心位置）を基準にして後方側の面積を前方側の面積よりも大きくすることができるものであれば、どのような形状であっても構わない。
【００２１】
このような垂直ラダー５は、いわゆる風見鶏と同様の作用を示す。すなわち、図６に示すように水中集魚灯１に対して一定方向の潮流Ｆ１が作用すると、垂直ラダー５には、水中集魚灯１を回転させようとするモーメントが働く。そして垂直ラダー５は、光源保持部材３の外側に突出させた後方側を潮流Ｆ１の後方側に向けた姿勢となって安定する。すなわち、垂直ラダー５は、水中集魚灯１の前方側を潮流Ｆ１の上流側に向けると共に、後方側を潮流Ｆ１の下流側に向けた状態で水中集魚灯１の姿勢を安定させる機能を有し、水中集魚灯１が水中で回転してしまうことを防止するのである。これにより、水中集魚灯１は、光源保持部材３の上端部を通って水上電源１１０に接続される電源ケーブル４を過度に捻れされてしまうことがなく、捻れによる電源ケーブル４の破損を防止することができる。また垂直ラダー５によって水中集魚灯１の回転を低減することができるため、水中集魚灯１の周囲に集まった魚を逃がしてしまうことがない。そのため、水中集魚灯１は、高い集魚効果を維持することができる。
【００２２】
また水中集魚灯１は、光源保持部材３の側面に側面ラダー９を設けても良い。図７は、側面ラダー９を取り付け可能な水中集魚灯１を示す図である。水中集魚灯１は、その左右両側面に側面ラダー９を取り付け可能なプレート状の支持部材４０を備えている。この支持部材４０は、例えば溶接などによって光源保持部材３の左右両側面に固定される。支持部材４０は、ビス４８を装着して固定するための固定孔４１と、その固定孔４１を中心とする所定半径の円弧状に開放された長孔４２とを有する。一方、支持部材４０に取り付けられる側面ラダー９は、平板状のラダー本体の端部が略直角に折り曲げられて構成される装着プレート４５を有する。その装着プレート４５には、固定孔４１と長孔４２の半径に等しい間隔を隔てて開放された一対の孔４６，４７が形成される。そして孔４７と固定孔４１に対してビス４８を挿入してビス４８を固定することにより側面ラダー９を光源保持部材３の側面に固定することができると共に、孔４６と長孔４２に対してビス４８を挿入してビス４８を固定することにより側面ラダー９を所定の角度に調整することができる。
【００２３】
図８は、側面ラダー９の作用効果を説明する図である。図８（ａ）に示すように、側面ラダー９は、固定孔４１を回転中心にして円弧状の長孔４２が形成された範囲内で取り付け角度θを調整可能であり、水中集魚灯１の前方側に向かって側面ラダー９を下降傾斜させた状態に配置したり、上昇傾斜させた状態に配置したりすることができる。また側面ラダー９を光源保持部材３の側面に対してほぼ水平な状態に配置することも可能である。
【００２４】
図８（ａ）では、側面ラダー９を水中集魚灯１の前方側に向かって下降傾斜させた状態の角度調整例を示している。このように側面ラダー９を水中集魚灯１の前方側に向かって下降傾斜させた場合、図８（ｂ）に示すように水中集魚灯１の前方側から潮流Ｆ１が作用すると、側面ラダー９は、その潮流Ｆ１によって矢印Ｆ２で示すように水中集魚灯１を下方へ沈める方向の力を生じさせ、水中集魚灯１を所定水深へと沈めることができるようになる。これに対し、側面ラダー９を水中集魚灯１の前方側に向かって上昇傾斜させた場合には潮流Ｆ１を受けると、水中集魚灯１を上方へ浮上させる力を生じさせる。このように水中集魚灯１は、取り付け角度θを調整可能な側面ラダー９を備えることにより、その取り付け角度θに応じて水中集魚灯１の水中における上下方向の位置を安定させることができるようになる。
【００２５】
このように水中集魚灯１は、垂直ラダー５を備えることによって水中における回転方向の姿勢を安定化できると共に、左右側面に対して横方向に突出した一対の側面ラダー９を備えることにより水中における上下方向の位置を安定化できる構成となっている。
【００２６】
次に光源装置２の詳細について説明する。図９は、光源装置２の一構成例を示す図である。光源装置２は、複数の発光素子３０が実装される基板３１と、基板３１に接続される電源ケーブル４と、基板収容器５０と、充填材５５と、プレート部材５４とを備えて構成される。基板収容器５０は、中央に基板３１を収容する凹部５１を有し、その凹部５１の周囲にある周壁部５２の一部に、塩化ビニールなどで被覆された電源ケーブル４を通す溝５３を形成した構成である。ここで凹部５１の深さは、発光素子３０を実装した基板３１の厚みよりも若干大きくなるように形成される。プレート部材５４は、例えば発光素子３０からの光を透過させる透明体として構成され、基板収容器５０とほぼ同サイズの外形を有し、その縁部が基板収容器５０の周壁部５２と接合することにより、凹部５１を密閉するものである。尚、プレート部材５４は、半透明体であっても良いが、発光素子３０から照射される光の利用効率を向上させる観点からすれば、透明体として構成されることが好ましい。また、プレート部材５４は、樹脂製のものであっても良いが、水中に対して繰り返し投入されるハードユースを考慮すると、ガラス製のものであることが好ましく、より好ましくは通常のガラスよりも強度の高い強化ガラスを採用することである。
【００２７】
複数の発光素子３０は、基板３１の表面に対して２次元配列された状態に実装される。また電源ケーブル４は、基板３１の表面側に設けられた導電体から成る接続部３２に対して電気的に接続される。そして発光素子３０が実装された基板３１は、図９（ａ）に示すように基板収容器５０の凹部５１に対して配置される。このとき、電源ケーブル４は、凹部５１の内側から溝５３に対して最短距離で配線されるのではなく、例えば凹部５１の内側の空間において基板３１の周囲を少なくとも１回巻き回した状態に配線され、溝５３を通って基板収容器５０の外側へと配線される。
【００２８】
そして基板３１と電源ケーブル４とが凹部５１の内側に収容された状態で凹部５１の内側及び溝５３の内側に充填材５５が充填される。充填材５５は、例えば樹脂やシリコンなどによって構成され、充填時には一定の粘性と流動性とを有し、凹部５１の内側において基板３１の周囲の隙間や電源ケーブル４の周囲の隙間などに進入して凹部５１の内側空間を埋め尽くすように隙間無く充填される。尚、充填材５５は、充填後に流動性を失って固化するものであっても良いし、粘性と流動性を失わないものであっても良い。このような充填材５５は、基板３１の表面に充填される充填材と、基板３１の周囲に充填される充填材とが異なるものであっても良い。ただし、少なくとも基板３１の表面に充填される充填材は、充填後において光を透過させる透明性を有するものであることが好ましい。
【００２９】
そして充填材５５が凹部５１の内側空間に充填された後、プレート部材５４が基板収容器５０の周壁部５２に対して接着される。このとき、プレート部材５４によって密閉される凹部５１の内側空間に気泡が生じないようにしてプレート部材５４と基板収容器５０とが接着される。このようにして光源装置２は、図９（ｂ）に示すようにプレート部材５４が設けられた一面から光を外部に向けて照射する発光プレートとして構成される。
【００３０】
図１０は、光源装置２の断面構造を示す図である。図１０に示すように光源装置２は、基板３１が収容された凹部５１の内側空間がプレート部材５４によって密閉された状態において、基板３１、発光素子３０及び電源ケーブル４の周囲に対して充填材５５が充填されており、密閉空間内に気泡や空気層が存在しないように構成される。そのため、水中集魚灯１が水中に投入されても、光源装置２は水圧の影響を受けない。すなわち、光源装置２に作用する水圧は、水面で１気圧、水深１０ｍで２気圧、水深２０ｍで３気圧、水深３０ｍで４気圧、というように水深１０ｍごとに１気圧ずつ増加する。例えば水深３０ｍで光源装置２に４気圧が作用する場合、光源装置２の内部に気泡や空気層が存在すると、その気泡や空気層の体積は水圧によって１／４に圧縮される。そのため、光源装置２の内部に気泡や空気層が存在すると、水中集魚灯１の水深が深くなるに連れて光源装置２の外壁部に大きな凹みが生じ、その凹みが発光素子３０や基板３１を圧迫して破損させる要因となる。これに対し、図１０に示したように光源装置２の内側空間に気泡や空気層が存在しない場合には、光源装置２に対して水圧が作用しても光源装置２の外壁部に凹みは生じない。それ故、水中集魚灯１が水中深くに投入される場合であっても、光源装置２を破損させることなく正常に使用し続けることができる。
【００３１】
上記のような光源装置２は、例えば電源ケーブル４が挿通される溝５３を上に向けた状態で光源保持部材３の側面に取り付けられる。ここで、基板収容器５０の溝５３が形成された部分にも、電源ケーブル４の周囲の隙間に充填材５５が充填される。しかしながら、充填材５５は、電源ケーブル４の外周面に対して必ずしも密着状態となるものではなく、電源ケーブル４との間に微細な隙間を生じることもある。そのような場合、水中集魚灯１を水中に投入すると、電源ケーブル４と充填材５５との間の僅かな隙間に対して毛細管現象が生じ、電源ケーブル４に沿って水分が光源装置２の内側に浸入する。毛細管現象によって浸入する水分が基板３１の表面に設けられた導電体から成る接続部３２に到達すると、水分による腐食がはじまり、光源装置２を破損する。特に、水中集魚灯１が海中に投入される場合には、海水に含まれる塩分によって導電体が著しく腐食し、光源装置２が早期に使用できなくなるという問題がある。
【００３２】
一方、電源ケーブル４と充填材５５との僅かな隙間に毛細管現象で浸入していく水分は、重力に従って下方に向かって進行していく性質を有している。そして本実施形態では、上述したように電源ケーブル４は、基板収容器５０の内側において基板３１の周囲を少なくとも１回巻き回すように配線されており、基板収容器５０の溝５３から基板３１の接続部３２へと向かう配線パターンとして基板収容器５０とプレート部材５４とで形成される密閉空間内で少なくとも下から上に向かう配線部分を有している。この下から上に向かう配線部分は、毛細管現象で浸入した水分が進行する際の抵抗となるため、基板３１の表面に設けられた接続部３２にまで水分が到達してしまうことを防止する。
【００３３】
ここで、光源装置２における電源ケーブル４の配線パターンは、必ずしも基板３１の周囲を巻き回すパターンには限られない。すなわち、毛細管現象による浸水を防止するためには、基板収容器５０の溝５３から基板３１の接続部３２へと向かう配線パターンに、少なくとも下から上に向かう配線部分を有していれば良い。図１１は、基板収容器５０の内部における電源ケーブル４の配線パターン例を示す図である。
【００３４】
図１１（ａ）は、上述したように基板３１の周囲を１回巻き回した状態の配線パターンを示している。この光源装置２は、基板収容器５０の溝５３を上に向けて配置すると、基板３１の右側に下から上に向かう配線部分５９が形成される。そのため、この配線部分５９が水分の上昇を妨げる抵抗となるので、基板３１などの腐食を防止することができる。
【００３５】
図１１（ｂ）は、基板収容器５０の溝５３を下に向けて配置する場合の電源ケーブル４の配線パターンの例である。図１１（ｂ）に示す配線パターンでは、光源装置２の下部から光源装置２の内部に導かれた電源ケーブル４が上向きに配線され、基板３１の上部にある接続部３２へと繋がっており、溝５３から接続部３２に対して下から上に向かう配線部分５９が構成されている。そのため、この配線部分５９が水分の上昇を妨げる抵抗となるので、基板３１などの腐食を防止することができる。
【００３６】
図１１（ｃ）は、基板収容器５０の内部で電源ケーブル４を複数回折り返した配線パターンの例を示している。図１１（ｃ）に示す配線パターンでは、基板収容器５０の内部で電源ケーブル４が複数回折り返され、下から上に向かう配線部分５９が複数箇所に形成される。そのため、この配線パターンでは、下から上に向かう配線部分５９の長さを、図１１（ａ）及び図１１（ｂ）に示した配線パターンよりも長くすることができ、毛細管現象によって浸入する水分が接続部３２まで到達してしまう可能性をより一層低減することができる。それ故、図１１（ｃ）に示すように電源ケーブル４を基板収容器５０の内部で複数回折り返す配線パターンが最も好ましいパターンである。
【００３７】
上記のような光源装置２は、水圧の影響を受けることがなく、また腐食の可能性も低いことから長期間に亘って良好に使用し得る光源が実現される。そのため、このような光源装置２を搭載した水中集魚灯１は、メンテナンス周期が長く、ランニングコストを低廉に抑えることができるという点で優れている。
【００３８】
また図１に示すように、本実施形態の水中集魚灯１は、各光源装置２の正面側に光散乱装置６を取り付け可能である。この光散乱装置６は、例えば箱型の透明容器２０として構成され、光源装置２の左右両側に設けられたＬ型アングルで構成されるガイド部１０に対し、上方からスライド挿入することによって光源装置２の正面位置に取り付けられる。この場合、光散乱装置６は、図３において破線で示すように、光源保持部材３のＬ型アングルによって透明容器２０の左右両側縁部が縦方向に保持される。尚、光散乱装置６は、光源保持部材３によって透明容器２０の底部が保持されると共に、スライド挿入後にガイド部１０の上端部が閉鎖されることにより、水中において光源保持部材３から落下することがないように構成される。
【００３９】
この光散乱装置６は、透明容器２０の上端及び下端に水流を導入又は導出するために網目状に形成された複数の開口部２１、２２を備えている。更に光散乱装置６は、透明容器２０の内部に開口部２１、２２よりも大きいサイズに形成された反射部材２３を備えている。反射部材２３は、薄肉且つ軽量のプレート状に形成され、表面が光を反射する光沢のある部材によって構成される。このような反射部材２３は、光沢のある金属製プレートによって構成されても良いし、或いは、樹脂プレートの表面に光沢のある金属をメッキしたものであっても良い。また反射部材２３の形状は、丸形や角形などどのような形状であっても構わない。例えば反射部材２３の形状を細長の木の葉型に形成すれば、小魚を模した光の反射を実現することができる。
【００４０】
図１２は、光散乱装置６を拡大して示す図である。光散乱装置６は、各光源装置２の正面側に取り付けられた状態で水中に投入されると、透明容器２０の上端部及び下端部に設けられた開口部２１、２２から矢印Ｆ３、Ｆ４に示すように水流を流入させる。この水流は水中集魚灯１の周囲にある潮流などによって変化するため、光散乱装置６の内部には周囲の潮流などに応じた水流が発生することになる。そして光散乱装置６の内部に生じる水流は、透明容器２０の内側に収容されている反射部材２３を流動させる。すなわち、反射部材２３は、光散乱装置６の上端部及び下端部から流入する水流によって透明容器２０内でその位置又は姿勢を変化させ、その位置又は姿勢に応じて光源装置２から照射される光を周囲へ散乱させる。したがって、反射部材２３によって周囲に反射される光は水中集魚灯１の周囲に小魚が集まっているかのような態様で周囲に散乱されるため、比較的大きな魚や烏賊などを収集する集魚効果をより一層高めることができるようになる。
【００４１】
このような光散乱装置６は、光源保持部材３に対して着脱自在である。そのため、集魚効果を狙う魚の種類などに応じてそれぞれ異なるサイズ又は形状の反射部材２３が収容された光散乱装置６を光源保持部材３に装着することができる。また光散乱装置６が不要なときには、光散乱装置６を光源保持部材３から取り外した状態で水中集魚灯１を使用することも可能である。尚、光散乱装置６を構成する透明容器２０は、必ずしも箱型には限られず、筒型であっても構わない。
【００４２】
以上、本発明に関する一実施形態について説明したが、本発明は上述した内容のものに限られるものではなく、種々の変形例が適用可能である。
【００４３】
例えば、上記実施形態では、電源ケーブル４が水上電源１１０から光源装置２に対して直接接続される場合を例示したが、これに限られるものではない。すなわち、光源装置２を交換することを考慮した場合には、水上電源１１０に繋がる電源ケーブル４と、光源装置２に繋がる電源ケーブル４とを別のケーブルとして構成し、それら２つの電源ケーブル４を防水コネクタで互いに接続する構成とすることがより好ましい。この場合、光源装置２を交換するときには、防水コネクタを外すことで複数の光源装置２のうちの１つだけを交換することが可能となるため、優れた利便性を発揮する。
【００４４】
また例えば光源保持部材３の側面に取り付ける複数の光源装置２は、それぞれを異なる波長（色）の光を照射するように構成しても良い。例えば白色を照射する光源装置２と青色を照射する光源装置２とを２枚ずつ組み合わせて使用することにより、集魚効果をより一層高めることができる。
【符号の説明】
【００４５】
１  水中集魚灯
２  光源装置
３  光源保持部材
４  電源ケーブル
５  垂直ラダー
６  光散乱装置
９  側面ラダー
３０  発光素子
５５  充填材
【図１】
0006388526.tif 000002
【図２】
0006388526.tif 000003
【図３】
0006388526.tif 000004
【図４】
0006388526.tif 000005
【図５】
0006388526.tif 000006
【図６】
0006388526.tif 000007
【図７】
0006388526.tif 000008
【図８】
0006388526.tif 000009
【図９】
0006388526.tif 000010
【図１０】
0006388526.tif 000011
【図１１】
0006388526.tif 000012
【図１２】
0006388526.tif 000013